【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
無線通信ネットワークにおいてローカル交換呼接続を管理する方法であって、
−ローカル交換呼接続によって接続された第１のユーザ装置（１０２）を、ターゲット無線アクセスノードにおいて検出したことを示す第１のメッセージ（２１８、３１７）を、コアネットワークノード（１１８）において受信する工程と、
−前記第１のメッセージ（２１８、３１７）を契機として、前記第１のユーザ装置（１０２）から第２のユーザ装置（１０４）へのユーザプレーンデータパス（１００）をコアネットワークパス（１０９）に切り替えるように、前記第２のユーザ装置（１０４）へのローカル交換呼接続の状態変更を要求する第２のメッセージ（２２０、３１８）を送信する工程と、
−前記第１のユーザ装置（１０２）のハンドオーバが完了し、ハンドオーバされた前記第１のユーザ装置（１０２）と前記第２のユーザ装置（１０４）とをローカルに交換することができないことを示す第４のメッセージ（２２４、３２２）を、前記コアネットワークノード（１１８）において受信する工程と、
−前記第４のメッセージ（２２４、３２２）に応えて、前記第１のユーザ装置（１０２）のハンドオーバの完了後、前記第１のユーザ装置（１０２）と前記第２のユーザ装置（１０４）とのローカル交換呼接続の解除を指示する第５のメッセージ（２２６、３２４）を送信する工程と
を備えることを特徴とする方法。
【請求項２】
前記第２のメッセージ（２２０、３１８）に応えて、前記ユーザプレーンデータパス（１００）の前記コアネットワークパス（１０９）への切り替えが完了したことを示す第３のメッセージ（２２０ａ、３１８ａ）を、前記コアネットワークノード（１１８）において受信する工程をさらに備えることを特徴とする請求項１に記載の方法。
【請求項３】
前記第３のメッセージ（２２０ａ、３１８ａ）の送信により、前記第１のユーザ装置（１０２）発のユーザデータが、前記コアネットワークパス（１０９）を通して伝送されるようになることを特徴とする請求項１または２に記載の方法。
【請求項４】
前記第３のメッセージの送信により、さらに、前記第１のユーザ装置（１０２）のダウンリンクユーザデータおよびアップリンクユーザデータが、前記コアネットワークパス（１０９）経由で伝送されるようになることを特徴とする請求項３に記載の方法。
【請求項５】
前記第１のメッセージは、ハンドオーバ検出（ＨＯ検出）メッセージを備えることを特徴とする請求項１乃至４のいずれか１項に記載の方法。
【請求項６】
前記第１のメッセージは、再配置検出メッセージを備えることを特徴とする請求項１乃至４のいずれか１項に記載の方法。
【請求項７】
前記第２のメッセージは、ローカル呼ローカル交換状態変更要求（ＬＣＬＳ状態変更要求）を備えることを特徴とする請求項１乃至５のいずれか１項に記載の方法。
【請求項８】
前記ＬＣＬＳ状態変更要求は、その情報要素（ＩＥ）に新しい値を備え、前記新しい値は、前記第２のユーザ装置（１０４）において、前記第１のユーザ装置（１０２）発のユーザプレーンダウンリンクデータを前記コアネットワークパス（１０９）経由で受信することを示す、「ハンドオーバ後のＤＬデータインジケート」であることを特徴とする請求項７に記載の方法。
【請求項９】
前記第４のメッセージは、ハンドオーバ完了（ＨＯ完了）メッセージを備えることを特徴とする請求項１乃至８のいずれか１項に記載の方法。
【請求項１０】
前記第４のメッセージは、再配置完了メッセージを備えることを特徴とする請求項１乃至８のいずれか１項に記載の方法。
【請求項１１】
前記第５のメッセージは、解除コマンドメッセージを備えることを特徴とする請求項１乃至１０のいずれか１項に記載の方法。
【請求項１２】
前記コアネットワークノードは、移動通信交換局（ＭＳＣ）を備えることを特徴とする請求項１に記載の方法。
【請求項１３】
前記ローカル交換呼接続は、少なくとも１つのネットワークノードからサービスを受ける２つのユーザ装置間のデータ接続または音声接続を備え、前記呼接続は、前記少なくとも１つのネットワークノードを制御する追加のネットワークノード内でローカルに交換されていることを特徴とする請求項１乃至１２のいずれか１項に記載の方法。
【請求項１４】
無線通信ネットワークにおいてローカル交換呼接続を管理する方法であって、
−第２のユーザ装置（１０４）におけるローカル交換呼接続の状態変更を要求する第１のメッセージ（２２０、３１８）を、コアネットワークノード（２０８）において受信する工程と、
−前記第２のユーザ装置（１０４）において、前記第２のユーザ装置（１０４）から前記第１のユーザ装置（１０２）へのユーザプレーンデータは、ローカル交換パス（１００）とコアネットワークパス経由のアップリンクとで送信される一方で、第１のユーザ装置（１０２）発のユーザプレーンデータを前記コアネットワークパス（１０９）経由で受信するために、前記第１のメッセージ（２２０、３１８）に応えて、ユーザプレーンデータパス（１００）の前記コアネットワークパス（１０９）への切り替えを指示する第２のメッセージ（２２２、３２０）を送信する工程と、
−前記第１のユーザ装置（１０２）へのローカルに交換されていた呼接続は、もはやローカルに交換されていないことを示す第４のメッセージ（２２８、３２６）を、前記コアネットワークノード（２０８）において受信する工程と
を備えることを特徴とする方法。
【請求項１５】
前記第２のメッセージ（２２２、３２０）に応えて、前記ユーザプレーンデータパス（１００）の前記コアネットワークパス（１０９）への切り替えを指示する第３のメッセージ（２２２ａ、３２０ａ）を受信する工程をさらに備えることを特徴とする請求項１４に記載の方法。
【請求項１６】
前記第１のメッセージ（２２０、３１８）に応えて、前記ユーザプレーンデータパス（１００）の前記コアネットワークパス（１０９）への切り替えが完了したことを示す第４のメッセージ（２２０ａ、３１８ａ）を送信する工程をさらに備えることを特徴とする請求項１４または１５に記載の方法。
【請求項１７】
前記第１のメッセージは、ローカル呼ローカル交換状態の変更を示す、前記メッセージの状態変更情報要素（ＬＣＳＬ状態変更ＩＥ）に新しい値を有するローカル呼ローカル交換状態変更要求メッセージ（２２０、３１８）を備えることを特徴とする請求項１４乃至１６のいずれか１項に記載の方法。
【請求項１８】
前記ローカル呼ローカル交換状態変更要求メッセージは、前記第１のユーザ装置（１０２）から前記コアネットワークパス（１０９）経由でダウンリンクデータを受信することを要求する、ハンドオーバ時のダウンリンク受信インジケート（ＩｎｄｉｃａｔｅＤＬｄａｔａＡｆｔｅｒＨａｎｄｏｖｅｒ）を備えることを特徴とする請求項１７に記載の方法。
【請求項１９】
前記第２のメッセージは、ローカル呼ローカル交換接続制御（ＬＣＬＳ＿ＣＯＮＮＥＣＴ＿ＣＯＮＴＲＯＬ）メッセージを備えることを特徴とする請求項１４乃至１８のいずれか１項に記載の方法。
【請求項２０】
前記ローカル呼ローカル交換接続制御メッセージは、前記第２のユーザ装置（１０４）において前記第１のユーザ装置（１０２）発のユーザプレーンダウンリンクデータを前記コアネットワークパス（１０９）経由で受信することを指示する、ハンドオーバ時ダウンリンクデータ（ＤＬＤａｔａａｔＨａｎｄｏｖｅｒ）インジケートを備えることを特徴とする請求項１９に記載の方法。
【請求項２１】
前記コアネットワークノードは、前記第１のユーザ装置（１０２）がハンドオーバされたのと同じコアネットワークに存在することを特徴とする請求項１乃至２０のいずれか１項に記載の方法。
【請求項２２】
前記コアネットワークノードは、前記第１のユーザ装置（１０２）がハンドオーバされるネットワークに存在することを特徴とする請求項１乃至２１のいずれか１項に記載の方法。
【請求項２３】
無線通信ネットワークにおけるローカル呼接続を管理する方法であって、
−アップリンクユーザプレーンデータを、第２のユーザ装置（１０４）からコアネットワークパス（１０９）経由で、ハンドオーバされる第１のユーザ装置（１０２）へ送信することを要求する第１のメッセージ（２１２、３１２）を、ネットワークノード（１１４）において受信する工程と、
−前記第１のユーザ装置（１０２）発のユーザプレーンダウンリンクデータを、ローカルユーザプレーンデータパス（１００）からコアネットワークパス（１０９）に切り替えることを要求する第２のメッセージ（２２２、３２０）を、前記ネットワークノード（１１４）において受信する工程と、
−前記第２のメッセージに応えて、前記第１のユーザ装置（１０２）へのローカル交換呼接続が依然として有効であることを示す第４のメッセージ（２２８、３２８）を送信する工程と
を備えることを特徴とする方法。
【請求項２４】
前記第２のメッセージ（２２０、３１８）に応えて、前記ユーザプレーンデータパス（１００）の前記コアネットワークパス（１０９）への切り替えを指示する第３のメッセージ（２２２ａ、３２０ａ）を送信する工程をさらに備えることを特徴とする請求項２３に記載の方法。
【請求項２５】
前記ネットワークノードは、基地局サブシステム（ＢＳＳ）または基地局制御装置（ＢＳＣ）であることを特徴とする請求項２３または２４に記載の方法。
【請求項２６】
無線通信ネットワーク用に構成されたネットワークノード（４００）であって、
−前記無線通信ネットワークのデータおよび制御情報を送受信するように構成された通信インタフェース（４０４）と、
−前記通信インタフェース（４０４）から受信した信号を分析および処理するように構成されたプロセッサ（４０２）であって、前記信号は、ローカル交換呼接続によって接続された第１のユーザ装置（１０２）が、ターゲットネットワークノードにおいて検出されたことを示す第１のメッセージ（２１８、３１７）と、前記第１のユーザ装置（１０２）の前記ターゲットネットワークノードへのハンドオーバが完了したことを示す第４のメッセージ（２２４、３２２）とを備え、前記通信インタフェース（４０４）から受信した前記第４のメッセージ（２２４、３２２）に応えて、前記第１のユーザ装置（１０２）が成功裏に前記ターゲットネットワークノードにハンドオーバされた後、前記第１のユーザ装置（１０２）と第２のユーザ装置（１０４）とのローカル交換呼接続の解除を指示する第５のメッセージ（２２６、３２４）を生成し、かつ前記通信インタフェース（４０４）を介して前記第４のメッセージ（２２６、３２４）を送信するようにするようにさらに構成されたプロセッサ（４０２）と、
−前記プロセッサ（４０２）によって前記無線通信ネットワーク経由で送信されるメッセージを生成するように構成されたソフトウェアコードを格納するメモリデバイス（４０６）と
を備え、
前記プロセッサ（４０２）は、前記第１のユーザ装置（１０２）発のユーザプレーンデータをコアネットワークパス経由で受信するために、前記受信した第１のメッセージ（２１８、３１７）に応えて第２のメッセージ（２２０、３１８）を生成し、前記第１のユーザ装置（１０２）から前記第２のユーザ装置（１０４）へのユーザプレーンデータパス（１００）を前記コアネットワークパスに切り替えるように、前記第２のユーザ装置（１０４）へのローカル交換接続の状態変更を要求する前記第２のメッセージ（２２０、３１８）を前記通信インタフェース（４０４）経由で送信するようにさらに構成されていることを特徴とするネットワークノード（４００）。
【請求項２７】
無線通信ネットワーク用に構成されたネットワークノード（４００）であって、
−前記無線通信ネットワークのデータおよび制御情報を送受信するように構成された通信インタフェース（４０４）と、
−ハンドオーバ中の第１のユーザ装置（１０２）のローカル呼交換状態の変更要求を指示する第１のメッセージ（２２０、３１８）と、前記第１のユーザ装置（１０２）へのローカルに交換されていた呼接続はもはやローカルに交換されていないことを示す第４のメッセージ（２２８、３２６）を備える信号を、前記通信インタフェース（４０４）から受信し、分析および処理するように構成されたプロセッサ（４０２）と、
−前記プロセッサ（４０２）によって前記無線通信ネットワーク経由で送信されるメッセージを生成するように構成されたソフトウェアコードを格納するメモリデバイス（４０６）と
を備え、
前記プロセッサ（４０２）は、前記受信した第１のメッセージ（２２０、３１８）に応えて第２のメッセージ（２２２、３２０）を生成し、前記第２のメッセージ（２２０、３１８）を前記通信インタフェース（４０４）経由で送信するようにさらに構成され、前記第２のメッセージ（２２０、３１８）は、前記第１のユーザ装置（１０２）発のユーザプレーンデータをコアネットワークパス経由で受信するために、ユーザプレーンデータパス（１００）の前記コアネットワークパスへの切り替え指示を備えることを特徴とするネットワークノード（４００）。
【請求項２８】
無線通信ネットワーク用に構成されたネットワークノード（４００）であって、
−前記無線通信ネットワークのデータおよび制御情報を送受信するように構成された通信インタフェース（４０４）と、
−ターゲットネットワークノードにハンドオーバ途中の第１のユーザ装置（１０２）にコアネットワークパス経由でアップリンクユーザプレーンデータを伝送することを要求する第１のメッセージ（２１２、３１２）と、前記第１のユーザ装置（１０２）発のダウンリンクデータに関連するユーザプレーンデータを、ローカルユーザプレーンデータパス（１００）からコアネットワークパスへ切り替えることを要求する第２のメッセージ（２２２、３２０）とを備える信号を、前記通信インタフェース（４０４）から受信し、分析および処理するように構成されたプロセッサ（４０２）と、
−前記プロセッサ（４０２）によって前記無線通信ネットワーク経由で送信されるメッセージを生成するように構成されたソフトウェアコードを格納するメモリデバイス（４０６）と
を備え、
前記プロセッサ（４０２）は、前記受信した第２のメッセージ（２２２、３２０）に応えて第４のメッセージ（２２８、３２６）を生成し、第３のメッセージを前記通信インタフェース（４０４）経由で送信するようにさらに構成され、前記第３のメッセージは、前記第１のユーザ装置（１０２）のハンドオーバの完了後、前記第１のユーザ装置（１０２）へのローカル交換呼接続を終了する命令を備えることを特徴とするネットワークノード（４００）。
【請求項２９】
無線通信ネットワークにおいてハンドオーバを行うためのコンピュータプログラムであって、
−ローカル交換呼接続によって接続された第１のユーザ装置（１０２）を、ターゲット無線アクセスノードにおいて検出したことを示す第１のメッセージ（２１８、３１７）を、コアネットワークノード（１１８）において受信し、
−前記第１のメッセージ（２１８、３１７）を契機として、前記第１のユーザ装置（１０２）から第２のユーザ装置（１０４）へのユーザプレーンデータパス（１００）をコアネットワークパス（１０９）に切り替えるように、前記第２のユーザ装置（１０４）へのローカル交換呼接続の状態変更を要求する第２のメッセージ（２２０、３１８）を送信し、
−前記第１のユーザ装置（１０２）のハンドオーバが完了し、ハンドオーバされた前記第１のユーザ装置（１０２）と前記第２のユーザ装置（１０４）とをローカルに交換することができないことを示す第４のメッセージ（２２４、３２２）を、前記コアネットワークノード（１１８）において受信し、
−前記第４のメッセージ（２２４、３２２）に応えて、前記第１のユーザ装置（１０２）のハンドオーバの完了後、前記第１のユーザ装置（１０２）と前記第２のユーザ装置（１０４）とのローカル交換呼接続の解除を指示する第５のメッセージ（２２６、３２４）を送信する
命令セットを備えることを特徴とするコンピュータプログラム。
【請求項３０】
無線通信ネットワークにおいてハンドオーバを行うためのコンピュータプログラムであって、
−第２のユーザ装置（１０４）におけるローカル交換呼接続の状態変更を要求する第１のメッセージ（２２０、３１８）を、コアネットワークノード（２０８）において受信し、
−前記第２のユーザ装置（１０４）において、前記第２のユーザ装置（１０４）から前記第１のユーザ装置（１０２）へのユーザプレーンデータは、ローカル交換パス（１００）と、コアネットワークパス経由のアップリンクとで送信される一方で、第１のユーザ装置（１０２）発のユーザプレーンデータを前記コアネットワークパス（１０９）経由で受信するために、前記第１のメッセージ（２２０、３１８）に応えて、ユーザプレーンデータパス（１００）の前記コアネットワークパス（１０９）への切り替えを指示する第２のメッセージ（２２２、３２０）を送信し、
−前記第１のユーザ装置（１０２）へのローカルに交換されていた呼接続は、もはやローカルに交換されていないことを示す第４のメッセージ（２２８、３２６）を、前記コアネットワークノード（２０８）において受信する
命令セットを備えることを特徴とするコンピュータプログラム。
【請求項３１】
無線通信ネットワークにおいてハンドオーバを行うためのコンピュータプログラムであって、
−アップリンクユーザプレーンデータを、第２のユーザ装置（１０４）からコアネットワークパス（１０９）経由で、ハンドオーバされる第１のユーザ装置（１０２）へ送信することを要求する第１のメッセージ（２１２、３１２）を、ネットワークノード（１１４）において受信し、
−前記第１のユーザ装置（１０２）発のユーザプレーンダウンリンクデータを、ローカルユーザプレーンデータパス（１００）からコアネットワークパス（１０９）に切り替えることを要求する第２のメッセージ（２２２、３２０）を、前記ネットワークノード（１１４）において受信し、
−前記第２のメッセージに応えて、前記第１のユーザ装置（１０２）へのローカル交換呼接続が依然として有効であることを示す第４のメッセージ（２２８、３２６）を送信する
命令セットを備えることを特徴とするコンピュータプログラム。